(57)【要約】【課題】本発明は、レンズモジュールを提供する。【解決手段】レンズモジュールは、鏡筒と、レンズ群とを備え、前記レンズ群が少なくとも1枚のレンズを備え、前記鏡筒が内側面と外側面とを備え、前記レンズが光学部と支持部を備え、前記支持部が物体側の面、像側の面、側面、及び傾斜面を備え、前記内側面が第１当接面、延出面、及び第２当接面を備え、前記側面が前記第１当接面に当接され、前記側面に前記側面から前記第２当接面に向かっての方向に延在する突起が設けら、前記突起が前記第２当接面と間隔を置いて設置され、前記突起、前記側面、前記延出面、及び前記第２当接面によって第１接着剤収容溝を形成し、前記傾斜面、前記突起、及び前記第２当接面によって第２接着剤収容溝を形成する。従来の技術に比べて、本発明に係るレンズモジュールの構造強度が高く、接続が安定し、信頼性が高い。【選択図】図１
2020027293.tif 000002
【特許請求の範囲】
【請求項１】
光貫通孔が開設された鏡筒と、鏡筒内に設置されたレンズ群とを備え、前記レンズ群が少なくとも1枚のレンズを含み、前記鏡筒が、前記レンズに当接する内側面と、前記内側面に対向して設けられた外側面とを備えるレンズモジュールであって、
前記レンズが、光学部と前記光学部を囲むように設置された支持部を備え、
前記支持部が、物体側に面する物体側の面と、前記物体側の面に対向して設置された像側の面と、前記物体側の面と前記像側の面とを接続する側面と、前記側面と前記像側の面とを接続する傾斜面とを備え、
前記内側面は、前記レンズに当接する第１当接面と、前記第１当接面から光軸から離れる方向に折り曲げて延在する延出面と、前記延出面に接続された第２当接面とを備え、
前記側面が前記第１当接面に当接され、前記側面に前記側面から前記第２当接面に向かっての方向に延在する突起が設けら、前記突起が前記第２当接面と間隔を置いて設置され、
前記突起、前記側面、前記延出面、及び前記第２当接面によって第１接着剤収容溝を形成し、前記傾斜面、前記突起、及び前記第２当接面によって第２接着剤収容溝を形成することを特徴とするレンズモジュール。
【請求項２】
前記突起が、前記側面に固定された固定部及び前記固定部から前記側面の一端から離れて像側へ垂直的に延在する垂直部を備えることを特徴とする請求項１に記載のレンズモジュール。
【請求項３】
前記突起が前記支持部を囲むように設置されていることを特徴とする請求項２に記載のレンズモジュール。
【請求項４】
前記レンズと貼り合わせて設置された遮光部材をさらに備えることを特徴とする請求項１に記載のレンズモジュール。
【請求項５】
前記遮光部材が中空環状構造であることを特徴とする請求項４に記載のレンズモジュール。
【発明の詳細な説明】
【技術分野】
【０００１】
本発明は、結像技術の分野に関し、特に、レンズモジュールに関する。
【背景技術】
【０００２】
科学技術の発展に伴い、携帯型の電子機器は絶えずにスマート化、小型化へ発展しつつある。デジタルカメラの以外、タブレットＰＣ、携帯電話などの携帯型の電子機器にも撮影機能を有するレンズモジュールが配置されて、レンズモジュールに対しての撮影要求もますます高くなっている。
【０００３】
従来技術において、電子機器におけるカメラのレンズモジュール構造は一般的には非球面レンズ及び外部固定構造部材から構成され、さらに遮光シート、遮光板、接続部及びストッパに合わせてレンズモジュール全体を構成する。そのうち、ストッパのところで接着剤を塗布することによりレンズモジュール構造部材全体を固定し、この方式で固定力が不充分で、レンズの間を緩みやすくし、これによって結像不安定性が生じる。
【０００４】
したがって、上記技術問題を解消するために、新規のレンズモジュールを提供する必要がある。
【発明の概要】
【発明が解決しようとする課題】
【０００５】
本発明は、構造強度が高く、接続が安定したレンズモジュールを提供することを目的とする。
【課題を解決するための手段】
【０００６】
上記問題を解決するために、本発明の実施形態は、レンズモジュールを提供する。光光貫通孔が開設された鏡筒と、鏡筒内に設置されたレンズ群とを備え、前記レンズ群が少なくとも1枚のレンズを含み、前記鏡筒が、前記レンズに当接する内側面と、前記内側面に対向して設けられた外側面とを備え、前記レンズが、光学部と前記光学部を囲むように設置された支持部を備え、前記支持部が、物体側に面する物体側の面と、前記物体側の面に対向して設置された像側の面と、前記物体側の面と前記像側の面とを接続する側面と、前記側面と前記像側の面とを接続する傾斜面とを備え、前記内側面は、前記レンズに当接する第１当接面と、前記第１当接面から光軸から離れる方向に折り曲げて延在する延出面と、前記延出面に接続された第２当接面とを備え、前記側面が前記第１当接面に当接され、前記側面に前記側面から前記第２当接面に向かっての方向に延在する突起が設けら、前記突起が前記第２当接面と間隔を置いて設置され、前記突起、前記側面、前記延出面、及び前記第２当接面によって第１接着剤収容溝を形成し、前記傾斜面、前記突起、及び前記第２当接面によって第２接着剤収容溝を形成する。
【０００７】
前記突起が、前記側面に固定された固定部及び前記固定部から前記側面の一端から離れて像側へ垂直的に延在する垂直部を備えることことが好ましい。
【０００８】
前記突起が前記支持部を囲むように設置されていることが好ましい。
【０００９】
前記レンズモジュールは、前記レンズと貼り合わせて設置された遮光部材をさらに備えることが好ましい。
【００１０】
前記遮光部材が中空環状構造であることが好ましい。
【００１１】
従来の技術に比べて、本発明のレンズモジュールは前記レンズの前記支持部に突起を設置し、前記突起が前記鏡筒と間隔を開け、且つ前記突起は接着剤溝を２つの部分に分けて、接着剤の接着面積を増加させ、レンズの配列を緊密にし、レンズモジュールの信頼性を向上させる。
【図面の簡単な説明】
【００１２】
本発明における実施例の技術方案をより明確に説明するために、以下で実施例の説明に使用される図面について簡単に説明する。下記の図面は本発明の幾つかの実施例に過ぎないが、進歩性のある労働をせずにこれらの図面に基づいて他の図面を得ることもできることは、当業者にとっては自明なことである。
【図１】図１は、本発明レンズモジュールの第１実施例の断面図である。
【図２】図２は、本発明レンズモジュールの第２実施例の断面図である。
【図３】図３は、図１のＡ領域の拡大図である。
【図４】図４は、図２のＢ領域の拡大図である。
【発明を実施するための形態】
【００１３】
以下、本発明の実施例における図面を参照しながら、本発明の実施例における技術方案を明確かつ完全に説明する。当然ながら、説明した実施例は、本発明の一部の実施例に過ぎなく、すべての実施例ではない。当業者が本発明の実施例に基づいて進歩性のある労働をしない前提で得られたすべての他の実施例は、いずれも本発明の保護範囲に属する。
【００１４】
図１及び図２に示すように、前記レンズモジュール１００は、鏡筒１と、レンズ２、押えリング３を備える。
【００１５】
前記鏡筒１に光通過孔１００１が設けられ、前記鏡筒１は、前記レンズ２に取り付け位置を提供することに用いられる。前記鏡筒１は、前記レンズ２に当接する内側面１１と、前記内側面１１に対向して設置された外側表面１２を備える。前記内側面１１は、前記レンズに当接する第１当接面１１１と、前記第１当接面１１１から前記光通過孔１００１が位置した直線から離れる方向に向かって折り曲げて延在する延出面１１２と、前記延出面１１２に接続された第２当接面１１３とを備える。
【００１６】
前記レンズ２は複数枚であり、複数枚の前記レンズ２は物体側から像側に向かって順に緊密に配列されてレンズ群を形成する。複数枚の前記レンズ２を用いて配列して前記レンズモジュール１００が結像する時により細かく表示することができる。前記レンズ２は、光学部２１と、光学部２１を囲むように設置された支持部２２とを備え、光学部２１は光学結像に用いられ、前記支持部２２は前記光学部２１に支持を提供することに用いられる。
【００１７】
支持部２２は、物体側の面２２１と、物体側の面２２１に対向して設置された像側の面２２２と、前記物体側の面２２１と前記像側の面２２２とを接続する側面２２３と、前記側面２２３と前記像側の面２２２とを接続する傾斜面２２４とを備える。前記側面２２３は前記第１当接面１１１に当接される。
【００１８】
図１及び図３に示すように、前記側面２２３には突起２２３１が設けられている。前記突起２２３１は前記側面２２３から前記第２当接面１１３に向かっての方向に延在し、前記突起２２３１は前記第２当接面１１３と間隔を置いて設置される。前記側面２２３、前記延出面１１２及び前記突起２２３１によって前記第１接着剤収容溝１０１０を形成し、前記突起２２３１、前記傾斜面２２４及び前記第２当接面１１３によって第２接着剤収容溝１０１１を形成する。前記第１接着剤収容溝１０１０と前記第２接着剤収容溝１０１１が導通している
【００１９】
前記突起２２３１を採用することによって、前記第１接着剤収容溝１０１０と前記第２接着剤収容溝１０１１を形成することで、接着剤の接着面積を増加させ、前記レンズ２をより緊密に配列させ、前記レンズモジュール１００の信頼性がより高くになる。
【００２０】
図２及び図４に示すように、前記突起２２３１はＬ字型構造である。前記突起２２３１は、前記側面に固定された固定部２２３１１及び前記固定部２２３１１から像側へ垂直的に延在する垂直部２２３１２を備え、前記垂直部２２３１２と前記内側面１１とが間隔を置いて設置される。接着剤を塗布した後、接着剤が前記第１接着剤収容溝１０１０と前記第２接着剤収容溝１０１１に充填される。前記垂直部２２３１２が前記第２接着剤収容溝１０１１内に延在することにより接着剤の接着面積をさらに増加させ、前記レンズモジュール１００の信頼性をさらに向上させる。前記垂直部２２３１２は前記第１接着剤収容溝１０１０の方向に延在してもよく、同様に実現可能であることが明らかになる。
【００２１】
本発明は上記構成に限定されるものではなく、接着剤の接着面積を増加させることができる他の構成を採用することも可能であり、これも本発明の保護範囲に属するべきである。
【００２２】
前記遮光部材３は中空環状構造であり、前記遮光部材３は前記レンズ２と貼り合わせて設置され、前記遮光部材３は複数であり、各遮光部材３は各２つの前記レンズ２の間に挟まれて設置される。前記遮光部材３は遮光シート３１及び遮光板３２を含み、前記遮光部材３は迷光を遮光し、前記レンズモジュール１００の結像品質を向上させる。
【００２３】
従来の技術に比べて、本発明のレンズモジュールは前記レンズの前記支持部に突起を設置し、前記突起が前記鏡筒と間隔を開け、且つ前記突起は接着剤溝を２つの部分に分けて、接着剤の接着面積を増加させ、レンズの配列を緊密にし、レンズモジュールの信頼性を向上させる。
【００２４】
以上に説明されたのは、本発明の実施例に過ぎなく、当業者にとっては、本発明の構想から逸脱しない限り、さらに改良することができ、これらの改良も本発明の保護範囲に含まれると理解できるはずである。
【図１】
2020027293.tif 000003
【図２】
2020027293.tif 000004
【図３】
2020027293.tif 000005
【図４】
2020027293.tif 000006